(57)【要約】【課題】  本発明の快眠・ダイエット  耳クッションは耳周辺部の快適な温熱及び接触刺激、物音の低減等によるリラクセーション環境を提供するものであり、また、耳刺激による整体のコントロールが行える、汎用性に優れる耳刺激器具を提供するものである。【解決手段】  本発明は、枕の上に置いて頭部の両側から耳に当てて使用する、ほぼ三角柱形の左右一対の、クッション（１）とクッションのそれぞれ外側下方頂辺部から伸びて左右のクッション同士を繋ぐ、連結帯（２）とクッションの上方頂辺部と内側下方頂辺部を繋ぐ、耳刺激シート（３）とクッションの上方頂辺部から耳刺激シートを挟んでクッションの内側の面に程良くぶら下がって収まる、耳ウオーマー部（４）とクッションの表面に設ける、指で掴みやすくする、グリップホール（５）と一対のクッションの内側下方頂辺部から中央に向けて設ける、ズレ止めフィン（６）から成ることを特徴とする。【選択図】図１
2014023894.tif 000002
【特許請求の範囲】
【請求項１】
枕の上に載置して頭部の両側から耳を挟むようにして使用すべく、図１、２、９に示す位置関係に於いて、ほぼ三角柱形の左右一対の、クッション（１）と一対の当該クッションのそれぞれの外側下方頂辺部（１０５）付近から伸びて一対のクッション同士を回動自在に繋ぐ所定の長さと巾の帯である、連結帯（２）とクッション（１）の上方頂辺部（１０３）付近と内側下方頂辺部（１０４）付近をそれぞれ回動自在に繋いで設ける、クッション（１）の内側の面に程良く接するサイズの、耳に接触する側表面に細かな凹凸を持つ薄くて柔らかいゴム等のシートの、耳刺激シート（３）とクッション（１）の上方頂辺部（１０３）付近をヒンジとして回動自在にぶら下がり、耳刺激シート（３）を挟んだ格好でクッション（１）の内側の面に程良く収まる構造で設ける柔らかく温かい素材の耳当てである、耳ウオーマー部（４）から成る、快眠・ダイエット  耳クッション。
【請求項２】
図１、２、９に示す位置関係に於いて、クッション（１）の正面に又は正面と背面に又は正面から背面へ貫通させて、仰臥したまま手の指を入れてクッションを掴みやすくする孔である、グリップホール（５）を設けた、請求項１記載の、快眠・ダイエット  耳クッション。
【請求項３】
図１、２、９に示す位置関係に於いて、一対のクッションの内側下方頂辺部（１０４）付近から中央に向けて、自分の頭の荷重で押えてクッション等の位置を安定させる所定の長さと巾の帯である、ズレ止めフィン（６）を回動自在に繋いで設ける、請求項１又は２記載の、快眠・ダイエット  耳クッション。
【請求項４】
図１、２、９に示す位置関係に於いて、耳刺激シート（３）を起こした状態で出来る空間に程良く収まる形状の左右一対の弾性に富む空間充填体である、スペーサースポンジ（７）を当該空間に抜き差し自在に設ける、請求項１又は２又は３記載の、快眠・ダイエット  耳クッション。
【請求項５】
スペーサースポンジ（７）の正面から背面へと図のような切れ目を入れた、保冷剤パック等の発熱体を格納するポケットである、切れ目ポケット（８）を設ける、請求項４記載の、快眠・ダイエット  耳クッション。
【請求項６】
耳刺激シート（３）のゴム等のシートの耳に触れる側表面に、粒状の固形体（９）を、接着手段（１０）により接着、又は柔らかい薄い膜によるラミネート接着により２層となる膜の間に、粒状の固形体（９）を挟んで設ける、請求項１又は２又は３又は４又は５記載の、快眠・ダイエット  耳クッション。
【発明の詳細な説明】
【技術分野】
【０００１】  この発明は、枕の上に置いて使用する、快眠・ダイエット  耳クッションに関するものである。
【背景技術】
【０００２】  １．従来、冬期の寒さから耳を保護し、温かく快適にする為にヘッドホン形の耳当てが開発されたが仰臥姿勢用の耳当ては特に無く、上記耳当てを利用したり暖房により部屋を暖めたり等でなされてきた。
２．耳部刺激に関する一般的整体及びダイエット整体に於いては広く耳ツボ刺激療法が開発されてきた。
最近では耳ツボダイエットシールが開発され、専門家による施術の一部として耳ツボに刺激体を貼って行われている。
【先行技術文献】
【０００３】
【特許文献１】
【非特許文献１】
【発明の概要】
【発明が解決しようとする課題】
【０００４】  １．冬期の就寝時、感覚が鋭敏である耳部が寒さの為に冷えきり交感神経が高ぶり心身共に緊張してなかなか寝つかれないことがある。
耳周辺部の快適な温熱及び接触刺激、物音の低減等によるリラクセーション環境が要望されてきた。
２．自分で整体の耳ツボ刺激を毎日定期的に行いたいのだが現代の多忙な日常生活の中で耳ツボ刺激を集中して行なえるプライベートな環境がなかなか得られない。
耳刺激による整体のコントロールが行える、汎用性に優れる耳刺激器具が要望されてきた。
本発明は以上の２種類の課題を１つの器具により解決するものである。
【課題を解決するための手段】
【０００５】  解決手段１
枕の上に載置して頭部の両側から耳を挟むようにして使用すべく、図１、２、９に示す位置関係に於いて、ほぼ三角柱形の左右一対の、クッション（１）と一対の当該クッションのそれぞれの外側下方頂辺部（１０５）付近から伸びて一対のクッション同士を回動自在に繋ぐ所定の長さと巾の帯である、連結帯（２）とクッション（１）の上方頂辺部（１０３）付近と内側下方頂辺部（１０４）付近をそれぞれ回動自在に繋いで設ける、クッション（１）の内側の面に程良く接するサイズの、耳に接触する側表面に細かな凹凸を持つ薄くて柔らかいゴム等のシートの、耳刺激シート（３）とクッション（１）の上方頂辺部（１０３）付近をヒンジとして回動自在にぶら下がり、耳刺激シート（３）を挟んだ格好でクッション（１）の内側の面に程良く収まる構造で設ける柔らかく温かい素材の耳当てである、耳ウオーマー部（４）から成る、快眠・ダイエット  耳クッション。
解決手段２
図１、２、９に示す位置関係に於いて、クッション（１）の正面に又は正面と背面に又は正面から背面へ貫通させて、仰臥したまま手の指を入れてクッションを掴みやすくする孔である、グリップホール（５）を設けた、解決手段１記載の、快眠・ダイエット  耳クッション。
解決手段３
図１、２、９に示す位置関係に於いて、一対のクッションの内側下方頂辺部（１０４）付近から中央に向けて、自分の頭の荷重で押えてクッション等の位置を安定させる所定の長さと巾の帯である、ズレ止めフィン（６）を回動自在に繋いで設ける、解決手段１又は２記載の、快眠・ダイエット  耳クッション。
解決手段４
図１、２、９に示す位置関係に於いて、耳刺激シート（３）を起こした状態で出来る空間に程良く収まる形状の左右一対の弾性に富む空間充填体である、スペーサースポンジ（７）を当該空間に抜き差し自在に設ける、解決手段１又は２又は３記載の、快眠・ダイエット  耳クッション。
解決手段５
スペーサースポンジ（７）の正面から背面へと図のような切れ目を入れた、保冷剤パック等の発熱体を格納するポケットである、切れ目ポケット（８）を設ける、解決手段４記載の、快眠・ダイエット  耳クッション。
解決手段６
耳刺激シート（３）のゴム等のシートの耳に触れる側表面に、粒状の固形体（９）を、接着手段（１０）により接着、又は柔らかい薄い膜によるラミネート接着により２層となる膜の間に、粒状の固形体（９）を挟んで設ける、解決手段１又は２又は３又は４又は５記載の、快眠・ダイエット  耳クッション。
本発明は以上の６通りの構成から成る、快眠・ダイエット  耳クッションである。
【発明の効果】
【０００６】  本発明の快眠・ダイエット  耳クッションは耳周辺部の快適な温熱及び接触刺激、物音の低減等によるリラクセーション環境を提供するものであり、また、耳刺激による整体のコントロールが行え、肥満解消等のダイエットの目的も達成することができる、汎用性に優れた耳刺激器具を提供するものである。
本発明は耳温熱モードと耳刺激モードの２種類の効果モードで使用することができる。
冬期の就寝時、感覚が鋭敏である耳部が寒さの為に冷えきり、交感神経が高ぶり、心身共に不安定な頼りない感じでなかなか寝つかれないことがあるが、本発明は就寝時に耳を温めることができ、腎臓等の働きと頭部の血行を良くし、副交感神経を優位にしてリラックスすることにより睡眠に入り易くする効果がある。
また、適温の条件だけでなく感覚が鋭敏な耳部への快い接触感や周囲の物音の低減等の条件も加えて心身のリラクセーションを生じさせる。
本発明は、耳ウオーマー部（４）をめくると耳刺激シート（３）が格納されていて、そのシートの表面突起を利用して薄く柔らかいシートを介在する形で指で耳の目的の部分を刺激することができる。
本発明は注意集中出来るリラックス姿勢下でとりあえずの各個人の知識、好みで自由に刺激が行える。
ダイエットの耳ツボシールを貼っている場合は耳刺激シートを介在して指の押し加減により、その部分のみを刺激の標的とすることができ、倍加刺激を与えることもできる。
就寝前のプライベートな時間と本発明の空間を利用して多忙な日常生活の中で耳ツボ刺激を集中して行なえる環境が得られる。
本発明の構造効果
横にした三角柱形の各頂辺部を支点とする回転可能な姿勢安定の条件と帯材による定位置での引っ張り拘束の条件と本体の自重及び頭部から本体に掛る力の条件の３条件による各選択形態ごとに於ける姿勢安定構造を特徴としている。
また、使用中の全体形状は枕への沈み込み要素を含めていて、中央が若干沈み込み、外側が若干浮き上がり、耳面に均等に押圧が掛る角度、構造になるような各部の形状、サイズ、素材の柔らかさとしている。
本発明の効果を的確にする各部の効果
１．クッション
三角柱を横たえた形状に成形したスポンジを柔らかい布の外皮で覆ったクッションは耳ウオーマー部（４）等の各部の協働で前述の構造効果により耳の部分をソフトな感触で包むことができる。
２．連結帯
左右のクッション（１）の外側下方頂辺部（１０５）どうしを引っ張り、耳ウオーマー部（４）の耳への程良い接触が得られるよう機能している。
また、使用中に本発明が邪魔になった時は連結帯（２）が一対のクッション（１）と繋がる部分のヒンジ部を支点にクッション（１）を外側へひっくり返す事ができる。
連結帯も肌が接する部位なので柔らかいソフトな感触が得られる布材を使用している。
３．耳刺激シート
指だけでやるよりも強い接触刺激を作り出すために耳側表面に微細な加工をした薄いゴム等のシートを介在して手で耳ツボを刺激することができるシートで、耳側のシート表面に粒状の固形体（９）による細かな凹凸を一様に設けている為、刺激可能範囲が広く刺激の標的部分を正確に刺激できるコントロール性と汎用性に優れている。
シート表面の刺激形状のバリエーションを複数用意し、着脱自在にシートの所定の位置に取り付けて行うことが可能である。（図示せず）。バリエーションは今後の研究開発により、逐次プラスされていくこととなる。
耳刺激シートの細かな凹凸はシートと同一の材料で一体化して設けても良い。
４．耳ウオーマー部
直接耳に触れる耳ウオーマー部（４）は耳温熱モードの時はクッション（１）と一体化して耳に快適に接するクッションとして作用する。
耳を温めるソフトな感触の素材から成り、耳温熱モードの時は左右一対のクッション（１）の上方頂辺部（１０３）から内側の面に垂らし、耳ウオーマー部（４）の表面のカーブが耳刺激シート（３）を挟んだ状態でクッション（１）の内側の面のカーブに収まり安定してクッション（１）と一体化するようにしたものである。
上部からぶら下がっている構造なのでクッション（１）の上方頂辺部（１０３）をヒンジとして外側にひっくり返すことによって耳温熱モードと耳刺激モードの２つの効果モードの切り替えができる。
耳ウオーマー部は適温の条件だけでなく感覚が鋭敏な耳への快い接触感や周囲の物音の低減等も加えて心身のリラクセーションを生じさせる効果がある。
５．グリップホール
仰臥したままクッション（１）をグリップホール（５）に手の親指を入れて手で楽に掴め、位置の微調整等ができる。
また、頭が窮屈になって邪魔になった時はそこに指を入れて外側へひっくり返し拘束を解除できる。
６．ズレ止めフィン
使用中の頭部の重量と摩擦力により使用中の本発明各部の位置のずれを防止することが出来る。
７．スペーサースポンジ
スポンジ素材の弾性力により手を使わないでも掌を入れる空間（１０２）に入れてふくらみを確保し、耳刺激シート（３）による受動的な刺激を行うことができる。
また、切れ目ポケット（８）に格納した発熱体の影響を穏やかなものにし、例外的ではあるが夏季のクーリング目的の場合は結露に対して水を通さない効果がある。
８．切れ目ポケット
使い捨てカイロや保冷剤パック等の発熱体が格納できる。
本発明は以上の効果がある。
【図面の簡単な説明】
【０００７】
【図１】  本発明の耳刺激モードでの斜視図である。
【図２】  本発明の耳温熱モードでの斜視図である。
【図３】  本発明のスペーサースポンジ部分の斜視図である。
【図４】  本発明を展開した状態の斜視図である。
【図５】  本発明の断面図である。
【図６】  本発明の耳温熱モードでの使用状態を示す説明図である。
【図７】  本発明の耳刺激モードでの使用状態を示す説明図である。
【図８】  本発明の各ヒンジ部を示す正面図による説明図である。
【図９】  出願書類に記載した本発明各部名称の位置を示す説明図である。
【図１０】  本発明の耳刺激シートの拡大断面図である。
【発明を実施するための形態】
【０００８】  実施形態１
枕の上に載置して頭部の両側から耳を挟むようにして使用すべく、図１、２、９に示す位置関係に於いて、内側の面に凹状のカーブ面を持つほぼ三角柱形の左右一対の、クッション（１）と一対の当該クッションのそれぞれ外側下方頂辺部（１０５）付近から伸びて一対のクッション同士を回動自在に繋ぐ所定の長さと巾の帯である、連結帯（２）とクッション（１）の上方頂辺部（１０３）付近と内側下方頂辺部（１０４）付近をそれぞれ回動自在に繋いで設けるクッションの内側の面の凹状のカーブに程良く接するサイズの耳に接触する側表面に細かな凹凸を持つ薄くて柔らかいゴム等のシートの、耳刺激シート（３）とクッション（１）の上方頂辺部（１０３）付近から耳刺激シート（３）を挟んだ格好でクッション（１）の内側の面の凹状のカーブに程良く収まり、上方頂辺部（１０３）付近をヒンジとして回動自在にぶら下がる構造で設ける柔らかく温かい素材の耳当てである、耳ウオーマー部（４）から成る、快眠・ダイエット  耳クッション。
実施形態２
図１、２、９に示す位置関係に於いて、クッション（１）の正面に又は正面と背面に又は正面から背面へ貫通させて、仰臥したまま手の指を入れてクッションを掴みやすくする孔である、グリップホール（５）を設けた、実施形態１記載の、快眠・ダイエット  耳クッション。
実施形態３
図１、２、９に示す位置関係に於いて、一対のクッションの内側下方頂辺部（１０４）付近から中央に向けて、自分の頭の荷重で押えてクッション等の位置を安定させる所定の長さと巾の帯である、ズレ止めフィン（６）を回動自在に繋いで設ける、実施形態１又は２記載の、快眠・ダイエット  耳クッション。
実施形態４
図１、２、９に示す位置関係に於いて、耳刺激シート（３）を起こした状態で出来る空間に程良く収まる形状の左右一対の弾性に富む空間充填体である、スペーサースポンジ（７）を当該空間に抜き差し自在に設ける、実施形態１又は２又は３記載の、快眠・ダイエット  耳クッション。
実施形態５
スペーサースポンジ（７）の正面から背面へと図のような切れ目を入れた、保冷剤パック等の発熱体を格納するポケットである、切れ目ポケット（８）を設ける、実施形態４記載の、快眠・ダイエット  耳クッション。
実施形態６
耳刺激シート（３）のゴム等のシートの耳に触れる側表面に、粒状の固形体（９）を、接着手段（１０）により接着又は柔らかい薄い膜によるラミネート接着により２層となる膜の間に、粒子状の固形体（９）を挟んで設ける、実施形態１又は２又は３又は４又は５記載の、快眠・ダイエット  耳クッション。
本発明は以上の６通りの実施形態から成る、快眠・ダイエット  耳クッションであり、図面に於ける本発明の実施例は実施形態１、２、３、４、５、６の全ての条件を持つものである。
次に本発明の実施例について説明する。
図に於いて１はクッションである。
枕の上に載置して両側から耳に当てて使用すべくほぼ三角柱形のクッション（１）を左右２個で１セット設けている。
内部は成形スポンジで外皮は柔らかい布で覆っている。
左右一対のクッション（１）の内側の面には図のような断面が弓状の凹曲面を持たせた形状である。
耳ウオーマー部（４）をぶら下げた際にクッション（１）に耳刺激シート（３）を介して接する耳ウオーマー部（４）の凸状の曲面に噛み合う形状である。
図に於いて２は連結帯である。
柔らかい布材である。
一対の左右のクッション（１）の外側下方頂辺部（１０５）どうしを結ぶ形で設ける連結帯である。実施例では体への接触にやさしい柔らかい布材でそれぞれヒンジ部（１０１）を介して回動自在に繋げている。
使用中頭部の動きがある程度拘束される形となる為、本発明の使用を途中で止めたりそのまま眠りたい時など邪魔になった時はこの左右のヒンジ部（１０１）を回転軸として一対のクッション（１）をそれぞれ外側にひっくり返すことができるようにしている。
ひっくり返すことによって頭部の動きの拘束から解放される。
図に於いて３は耳刺激シートである。
左右のそれぞれのクッション（１）の上方頂辺部（１０３）と内側下方頂辺部（１０４）の２箇所に繋がる形で設けるゴム等の柔らかくて薄い膜である。
シート素材の弾性力と上下の２支点をシートが撓む形で付け根が回動自在に繋がっている為シートの安定する形がクッション（１）のカーブ面に沿う形と起こして浮き上がる形の２パターンが出来る。起こして浮き上がる形でできるクッション（１）との間の空間が、掌を入れる空間（１０２）である。
シートの耳に接する側の表面に細かな粒状の固形体（９）による凹凸を持たせていて、シートを起こして浮き上がらせた状態ではそれで出来た掌を入れる空間（１０２）に掌を入れてこのシートを介して手の圧力とシート表面の細かな凹凸とで耳の目的部分を刺激できるようにしている。
シート表面の刺激形状のバリエーションを複数用意し、着脱自在にシートの所定の位置に取り付けて行うことも可能である。（図示せず。）
図に於いて４は耳ウオーマー部である。
図の様な断面が木の葉のようなカーブ形をしていて、左右一対のクッション（１）の上方頂辺部（１０３）からヒンジ部（１０１）で回動自在に繋げていて、左右一対のクッション（１）の内側カーブ面と程良く噛み合ってぶら下がる形状を持たせている。
材質は耳を温めることが出来る柔らかく温かい肌触りの素材である。
図に於いて５はグリップホールである。
仰臥したまま手の親指を入れてクッション（１）本体を掴む為の孔である。前面に又は前面と背面に又は貫通させて、手の親指が入る程度の径の孔で設ける。
図に於いて６はズレ止めフィンである。
柔らかい布材である。
一対のクッション（１）の内側下方頂辺部（１０４）のヒンジ部（１０１）から繋げた帯であり、実施例では一対のクッションの内側下方頂辺部（１０４）から伸びた当該帯はほぼ中央部で両方の帯がぶつかる位置までそれぞれを伸ばして設けているが、両方の帯を長くして中央で重なるように設けてもよい。
これは使用中にクッション（１）のズレを防止し本発明各部の位置を安定させるためのもので、頭部の重さと摩擦力により押えてズレ止めを行ものである。
図に於いて７はスペーサースポンジである。
掌を入れる空間（１０２）は耳ツボ刺激の際はここに掌を入れて行うが、掌の代わりにスポンジを入れてスポンジの弾性力で受動的に耳を押さえることができる。
耳刺激シート（３）を起こして出来る、掌を入れる空間（１０２）に挿入して使用する。
図に於いて８は切れ目ポケットである。
スペーサースポンジ（７）の正面の中間部に長手方向の角度で保冷剤パック等の発熱体格納用の切れ目を設けたものである。
図に於いて１０１はヒンジ部である。クッション（１）の三角柱の各頂辺部から連結帯（２）や耳刺激シート（３）や耳ウオーマー部（４）やズレ止めフィン（６）を繋げて設けるがやや硬さのある三角柱の各頂辺部に対してそれらの繋ぐ素材が柔らかくて平たい為、引っ張り力が加わりながらの条件下ではそれぞれが繋がる堺の部分をヒンジ部（１０１）として回動自在に繋がる姿となる。
図に於いて１０２は掌を入れる空間である。
使用に際して、上下がヒンジ部（１０１）により繋がった耳刺激シート（３）を起こして出来る空間であり、耳ウオーマー部（４）を使用する時は押されてクッション（１）の内側の弓状の凹曲面に沿ってクッションと耳ウオーマー部の両者に挟まって収納される格好となる。
図に於いて１０３は上方頂辺部である。
図１、２、９に示す位置関係に於いて、ほぼ三角柱を横にした形状のクッション（１）の上方頂部の縁である。
図に於いて１０４は内側下方頂辺部である。
図１、２、９に示す位置関係に於いて、ほぼ三角柱を横にした形状のクッション（１）の内側下方の頂部の縁である。
図に於いて１０５は外側下方頂辺部である。
図１、２、９に示す位置関係に於いて、ほぼ三角柱を横にした形状のクッション（１）の外側下方の頂部の縁である。
本発明の構造の特徴
横にした三角柱形の各頂辺部を支点とする回転可能な姿勢安定の条件と帯材による定位置での引っ張り拘束の条件と本体の自重及び頭部から本体に掛る力の条件の３条件による各選択形態ごとに於ける姿勢安定構造を特徴としている。
また、使用中の全体形状は枕への沈み込み要素を含めていて、中央が若干沈み込み、外側が若干浮き上がり、耳面に均等に押圧が掛る角度、構造になるような各部の形状、サイズ、素材の柔らかさとしている。
次に本発明の使用方法を述べる。
使い方は本発明を枕の上に置き、耳温熱モードで使用する場合は図６の説明図のように左右の耳ウオーマー部（４）をそれぞれ内側にぶら下げ、その谷間に頭部を沈めて使用する。
耳刺激モードで使用する場合は図７の説明図のように左右の耳ウオーマー部（４）をそれぞれ外側にひっくり返し、谷間に頭部を沈めて、耳ウオーマー部（４）とクッション（１）との間に格納されていた耳刺激シート（３）を起こして、起こした状態でできる一対の掌を入れる空間（１０２）に掌を入れて耳刺激シートを介在して手で耳刺激を行う。
また、手の代わりにスペーサースポンジ（７）を入れて受動的な刺激を行うこともできる。
また、冬のかなり寒い時においてはスペーサースポンジ（７）の切れ目ポケット（８）に予め温めておいた保冷剤パックや使い捨てカイロ等を収納して耳元に熱を加えることもできる。
一方、例外的ではあるが、夏の暑い時には冷やした保冷剤パック等を入れて耳元に穏やかな冷感を与えることもできる。
眠くなって睡眠の邪魔になりそうになった時は寝ながらの姿勢で頭を左右に少し捻るか少し浮かしぎみにしてグリップホール（５）に手の親指を入れて一対のクッション（１）を外側にひっくり返す。
【符号の説明】
【０００９】  １  クッション
２  連結帯
３  耳刺激シート
４  耳ウオーマー部
５  グリップホール
６  ズレ止めフィン
７  スペーサースポンジ
８  切れ目ポケット
９  粒状の固形体
１０  接着手段
１０１  ヒンジ部
１０２  掌を入れる空間
１０３  上方頂辺部
１０４  内側下方頂辺部
１０５  外側下方頂辺部
【図１】
2014023894.tif 000003
【図２】
2014023894.tif 000004
【図３】
2014023894.tif 000005
【図４】
2014023894.tif 000006
【図５】
2014023894.tif 000007
【図６】
2014023894.tif 000008
【図７】
2014023894.tif 000009
【図８】
2014023894.tif 000010
【図９】
2014023894.tif 000011
【図１０】
2014023894.tif 000012